(57)【要約】【課題】  一つのカード挿入用スロット内に複数のカードを一緒に挿入することを防止することができること。【解決手段】  カードコネクタ１０のカード収容部の開口端部に、複数のカードをカード挿入口に一緒に挿入することを防止する第１のシャッター部材３０、第２のシャッター部材３２、および、リターンスプリング３４Ｒおよび３４Ｌからなるシャッター機構を備えるもの。【選択図】  図１
2005129311.tif 000002
【特許請求の範囲】
【請求項１】
複数のカードが一緒に着脱可能なスロットを有するカード被装着部の周縁に該カードの着脱方向に対し交わるように移動可能に設けられ、該スロットに対応した開口部を有するシャッター部材と、
前記複数のカードのうちの一方のカードの一端が前記シャッター部材の開口部および前記カード被装着部のスロットに挿入されるとき、該カードの挿入動作に応じて該シャッター部材とともに移動し、該シャッター部材の開口部と前記カード被装着部のスロットとの連通部分の残部の開口面積を縮小させ、前記複数のカードのうちの他方のカードのカード被装着部のスロットへの挿入を規制するカード挿入規制部と、
を具備して構成されるカード誤挿入防止機構。
【請求項２】
前記カードの挿入動作に応じて移動せしめられた前記シャッター部材を、前記カード被装着部に対する該カードの離脱動作に応じて初期位置に戻すように付勢する付勢部材を備えることを特徴とする請求項１記載のカード誤挿入防止機構。
【請求項３】
複数のカードが一緒に着脱可能なスロットを有するカード被装着部の周縁に該カードの着脱方向に対し交わるように移動可能に設けられ、該スロットに対応した開口部を有する第１のシャッター部材と、
前記第１のシャッター部材に対し相対的に移動可能に配され前記カード被装着部のスロットおよび前記第１のシャッター部材の開口部に対応した開口部を有する第２のシャッター部材と、
前記複数のカードのうちの一方のカードの一端が前記カード被装着部のスロットを通じて第１のシャッター部材の開口部および前記第２のシャッター部材の開口部に挿入されるとき、該カードの挿入動作に応じて前記第１のシャッター部材または第２のシャッター部材の移動とともに近接し、該第１のシャッター部材および第２のシャッター部材の開口部と前記カード被装着部のスロットとの連通部分の残部の開口面積を縮小させ、前記複数のカードのうちの他方のカードのカード被装着部のスロットへの挿入を規制するカード挿入規制部と、
を具備して構成されるカード誤挿入防止機構。
【請求項４】
前記カードの挿入動作に応じて移動せしめられた前記第１のシャッター部材および第２のシャッター部材を、前記カード被装着部に対する該カードの離脱動作に応じて初期位置に戻す付勢部材を備えることを特徴とする請求項３記載のカード誤挿入防止機構。
【請求項５】
前記付勢部材が前記第１のシャッター部材および第２のシャッター部材の両端部にそれぞれ設けられることを特徴とする請求項４記載のカード誤挿入防止機構。
【請求項６】
前記カード挿入規制部は、前記第１のシャッター部材または第２のシャッター部材のうち少なくとも一方における前記付勢部材の一端が連結される側における前記開口部の周縁に形成される遮蔽部であることを特徴とする請求項４記載のカード誤挿入防止機構。
【請求項７】
前記第１のシャッター部材の開口部および前記第２のシャッター部材の開口部の周縁に、それぞれ、前記複数のカードのうちの他方のカードの厚さに対応し互いに連通する溝部が形成されることを特徴とする請求項３記載のカード誤挿入防止機構。
【請求項８】
前記複数のカードのうちの他方のカードが前記第１のシャッター部材および前記第２のシャッター部材の前記溝部に係合されるとき、前記第１のシャッター部材および第２のシャッター部材の移動が規制されることにより、前記前記複数のカードのうちの一方のカードの前記第１のシャッター部材の開口部および前記第２のシャッター部材の開口部への挿入が規制されることを特徴とする請求項３記載のカード誤挿入防止機構。
【請求項９】
請求項１記載のカード誤挿入防止機構と、
前記カード誤挿入防止機構におけるシャッター部材の開口部に対応したカード着脱口を有し該カードを収容するカード収容部と、
前記カード収容部に配され、前記カードの電極部をそれぞれ、外部入出力部と電気的に接続するコンタクト端子群と、
を具備して構成されるカード誤挿入防止機構を備えるカード用コネクタ。
【請求項１０】
請求項３記載のカード誤挿入防止機構と、
前記カード誤挿入防止機構における第２のシャッター部材の開口部に対応したカード着脱口を有し該カードを収容するカード収容部と、
前記カード収容部に配され、前記カードの電極部をそれぞれ、外部入出力部と電気的に接続するコンタクト端子群と、
を具備して構成されるカード誤挿入防止機構を備えるカード用コネクタ。
【発明の詳細な説明】
【技術分野】
【０００１】
本発明は、電子回路を内臓するカードにおけるカード収容部内への誤挿入を防止できるカード誤挿入防止機構および、それを備えるカード用コネクタに関する。
【背景技術】
【０００２】
ＳＤ（ｓｅｃｕｒｅ  ｄｉｇｉｔａｌ）カード、ＭＭＣ（マルチメディア）カード（商標）等のＩＣカードは、小型で携帯性に優れ、カメラおよび携帯電話機等の電子機器に装着されて電気的に接続されることにより、その電子機器相互間のデータ交換等の用途に利用されている。
【０００３】
ＩＣカードは、近年、従来のＩＣカードの厚さよりもさらに薄く、かつ、その幅および長さも小型化されたものも開発され規格化されている。
【０００４】
そのようなＩＣカードを電子機器に装着するためにカード用コネクタが実用に供されている。カード用コネクタにおいては、厚さまたは形状等の互いに異なる複数種のＩＣカードを共通のカード用コネクタに選択的に一枚ずつ装着できるものも実用に供されている。このような厚さまたは形状等の互いに異なる複数種のＩＣカードを選択的に装着することができるカード用コネクタは、例えば、特許文献１にも示されるように、複数種のＩＣカードが収容されるカード収容部を有している。カード収容部は、ＩＣカードの着脱のとき、ＩＣカードが通過する一つの共通のカード着脱用スロット（カード挿入口）を一方の端部に有している。そのカード挿入用スロットの開口面積は、例えば、収容できる最も大きなＩＣカードの横断面積に対応して設定されている。
また、そのカード収容部の底部には、各ＩＣカードの電極部と電気的接続を行うコンタクト端子群が配置されている。そのカード収容部の両側壁の内周部には、カード収容部内に挿入される各ＩＣカードの側面を案内する案内溝が互いに略平行にそのカード挿入用スロットまで延在している。
【０００５】
【特許文献１】特許第３３８５２４９号公報
【発明の開示】
【発明が解決しようとする課題】
【０００６】
上述のような複数種のＩＣカードが通過する一つの共通のカード着脱用スロットを有するカードコネクタにおいて、例えば、比較的小さなＩＣカードがカード用コネクタに一枚だけ装着されたとき、そのカード着脱用スロットには、所定の隙間が生じることとなる。
【０００７】
このような場合、誤って、その隙間に相当する厚さを有する他のＩＣカードが加えられてその隙間内に挿入され、二枚のＩＣカードが一つの共通のカード着脱用スロットに挿入される虞がある。特に、プリンタ等の電子機器においてその内部に設けられるカード用コネクタのカード着脱用スロットだけが電子機器の端部に開口している場合、装着のとき、比較的小さなＩＣカードの端部しか露出していないのでいずれのＩＣカードも装着されていないと見誤る虞があるからである。このように本来、一枚ずつ装着される仕様となっているカードコネクタにおいて、二枚のＩＣカードが一つの共通のカード着脱用スロットを通じてカード収容部内に挿入されるとき、ＩＣカード自体の損傷、および、その電子機器の作動中においては、カードコネクタ用制御回路に悪影響を及ぼしその故障の原因となる場合がある。
【０００８】
以上の問題点を考慮し、本発明は、電子回路を内臓するカードにおけるカード収容部内への誤挿入を防止できるカード誤挿入防止機構および、それを備えるカード用コネクタであって、一つのカード挿入用スロット内に複数のカードを一緒に挿入することを防止することができるカード誤挿入防止機構および、それを備えるカード用コネクタを提供することを目的とする。
【課題を解決するための手段】
【０００９】
上述の目的を達成するために、本発明に係るカード誤挿入防止機構は、複数のカードが一緒に着脱可能なスロットを有するカード被装着部の周縁にカードの着脱方向に対し交わるように移動可能に設けられ、スロットに対応した開口部を有するシャッター部材と、複数のカードのうちの一方のカードの一端がシャッター部材の開口部およびカード被装着部のスロットに挿入されるとき、カードの挿入動作に応じてシャッター部材とともに移動し、シャッター部材の開口部とカード被装着部のスロットとの連通部分の残部の開口面積を縮小させ、複数のカードのうちの他方のカードのカード被装着部のスロットへの挿入を規制するカード挿入規制部と、を備えて構成される。
【００１０】
また、本発明に係るカード誤挿入防止機構を備えるカード用コネクタは、上述のカード誤挿入防止機構と、カード誤挿入防止機構におけるシャッター部材の開口部に対応したカード着脱口を有しカードを収容するカード収容部と、カード収容部に配され、カードの電極部をそれぞれ、外部入出力部と電気的に接続するコンタクト端子群と、を備えて構成される。
【発明の効果】
【００１１】
以上の説明から明らかなように、本発明に係るカード誤挿入防止機構およびそれを備えるカード用コネクタによれば、カード挿入規制部が、複数のカードのうちの一方のカードの一端がシャッター部材の開口部およびカード被装着部のスロットに挿入されるとき、カードの挿入動作に応じてシャッター部材とともに移動し、シャッター部材の開口部とカード被装着部のスロットとの連通部分の残部の開口面積を縮小させ、複数のカードのうちの他方のカードのカード被装着部のスロットへの挿入を規制するので一つのカード挿入用スロット内に複数のカードを一緒に挿入することを防止することができる。
【発明を実施するための最良の形態】
【００１２】
図７および図８は、本発明に係るカード誤挿入防止機構およびそれを備えるカード用コネクタの各実施例が適用されたＰＣカードアダプタの外観を示す。
【００１３】
図７および図８において、ＰＣカードアダプタ２は、例えば、ＳＤ（ｓｅｃｕｒｅ  ｄｉｇｉｔａｌ）カード、ＭＭＣ（マルチメディア）カード（商標）、および、ＳＤカードおよびＭＭＣカードの幅よりも小なる最大幅を有する小さなｍｉｎｉＳＤカード（商標）がそれぞれ、１枚ずつ装着可能とされる。ＰＣカードアダプタ２は、後述するカード用コネクタおよび制御回路部（不図示）を内臓しており、その外郭部の側壁部および前面部を形成するフレーム部材４と、外郭部の上部および底部をそれぞれ形成するアッパカバー部材６Ａおよびロアカバー部材６Ｂと、その外郭部の後部に配されＰＣカードアダプタ２における信号の授受を行うコンタクト部８とを含んで構成されている。
ＰＣカードアダプタ２におけるフレーム部材４の前端部には、上述の各カードの着脱のとき、カードが通過するスロット４Ｓが形成されている。スロット４Ｓは、後述するカード用コネクタのカード収容部に連通している。スロット４Ｓは、装着されるＳＤカード、ＭＭＣカード（商標）の幅寸法および厚さよりも若干大なる寸法を有する略長方形の開口部４ａと、開口部４ａの両端の下部に形成され開口部４ａに連通する段差部４ｂと、段差部４ｂに連なり最下端に形成され開口部４ａに連通する溝部４ｃとを含んでなる。溝部４ｃの幅は、段差部４ｂの相互間距離よりも狭く、例えば、装着されるｍｉｎｉＳＤカードの幅寸法よりも若干大に設定されている。従って、スロット４Ｓは、装着されるＳＤカード、ＭＭＣカード（商標）、および、ｍｉｎｉＳＤカード（商標）において、共通のカード着脱口となる。
【００１４】
ＰＣカードアダプタ２に内臓されるカードコネクタ１０は、図４および図５に示されるように、各カードが着脱されるとき、各カードが通過する共通のスロットをフレーム部材４のスロット４Ｓに対向した位置に有する本体部１８と、その本体部１８を覆い内部にカード収容部を形成するカバー部材１２と、カード収容部に配され装着されるＳＤカード、ＭＭＣカード（商標）の電極部に対する電気的接続を行う第１のコンタクト端子群１４ai(i=1〜n,nは正の整数)と、装着されるｍｉｎｉＳＤカード（商標）の電極部に対する電気的接続を行う第２のコンタクト端子群と（不図示）、各カードの着脱動作を行うイジェクト機構部１６と、ｍｉｎｉＳＤカードが装着されるとき、第１のコンタクト端子群１４aiの位置まで挿入されないように規制するシャッター部材２０と、シャッター部材２０をカードの着脱操作に応じて昇降制御するアクチュエータ部と（不図示）を主な要素として含んで構成されている。
【００１５】
第１のコンタクト端子群１４aiおよび第２のコンタクト端子群の配置、シャッター部材２０の昇降機構、アクチュエータ部の構成は、例えば、本願出願人による特許出願（特願２００２−３４６００２号）において添付された明細書の実施例中に記載された構成と同様な構成とされる。また、イジェクト機構部１６は、本願出願人による特許出願（特願２００２−３４６００２号）において添付された明細書の実施例中に記載された構成と同様な構成とされ、ＳＤカード、ＭＭＣカード（商標）、および、ｍｉｎｉＳＤカード（商標）についてそれぞれ、カード収容部内における保持、および、カード収容部から外部への排出動作を行う共通のイジェクト機構とされる。
【００１６】
図４および図５に示されるように、カードコネクタ１０が収容されるフレーム部材４におけるカードコネクタ収容部４Ａの前端部は、上述のスロット４Ｓに連通している。
カードコネクタ収容部４Ａの前端部とフレーム部材４の内周面との間には、所定の隙間が形成されている。また、フレーム部材４の内周部には、カードコネクタ収容部４Ａの前端部に対向して凹部４ｆが所定の間隔をもって形成されている。さらに、カードコネクタ収容部４Ａの両側部に対応する部分をそれぞれ形成するフレーム部材４には、凹部４Ｒおよび４Ｌが形成されている。凹部４Ｒおよび４Ｌには、それぞれ、後述するリターンスプリングが配されている。また、凹部４Ｒおよび４Ｌに隣接した部位には、それぞれ、そのリターンスプリングの一端が圧入される溝４ｅが形成されている。
【００１７】
凹部４Ｒと凹部４ｆとの間、および、凹部４Ｌと凹部４ｆとの間には、細い溝４ｄが形成されている。各溝４ｄは、フレーム部材４の前端に対し略平行に形成されている。各溝４ｄには、後述する第１および第２のシャッター部材が摺動可能に配されている。
【００１８】
フレーム部材４におけるカードコネクタ収容部４Ａの前端部とスロット４Ｓが形成される部分との間には、２枚のＩＣカードが一緒にスロット４Ｓおよびカードコネクタ１０のカード収容部内に挿入されることを防止するシャッター機構が設けられている。
【００１９】
シャッター機構は、図９に示されるように、薄板の金属材料で作られ互いに相対移動可能に重ねられる第１のシャッター部材３０および第２のシャッター部材３２と、第１のシャッター部材３０および第２のシャッター部材３２を付勢する付勢部材としてのリターンスプリング３４Ｒおよび３４Ｌとを含んで構成されている。
【００２０】
第１のシャッター部材３０および第２のシャッター部材３２の両端部は、図５に示されるように、それぞれ、その湾曲部３０Ｐおよび３２Ｐが互いに近接または離隔するように溝４ｄに往復移動可能に支持されている。第１のシャッター部材３０および第２のシャッター部材３２の両端部には、それぞれ、後述するリターンスプリング３４Ｒおよび３４Ｌの一端が当接している。
【００２１】
第１のシャッター部材３０は、図１２に示されるように、スロット４Ｓおよびカードコネクタのスロットに対応した細長い開口部３０ａを中央に有している。開口部３０ａは、長手方向に沿って延びている。開口部３０ａにおける短辺側の寸法は、ＳＤカードの厚さよりも若干大に設定されている。開口部３０ａの周縁における一方の端部には、弾性を有する湾曲部３０Ｐが一体に形成されている。湾曲部３０Ｐは、図５および図９に示されるように、第２のシャッター部材３２の開口部３２ａを介して凹部４ｆ内に向けて突出している。湾曲部３０Ｐの端面とシャッター部材３２の開口部３２ａにおける一方の端部の周縁とは、図１０に示されるように、所定の隙間ＣＬが設けられている。この隙間ＣＬは、挿入されるＳＤカードまたはＭＭＣカードにより湾曲部３０Ｐが図１２における矢印ＡＤの示す方向に押圧されるとき、第１のシャッター部材３０が矢印ＡＤの示す方向に所定の長さだけ移動し得るように設定されている。
湾曲部３０Ｐの一端は、図１５に示されるように、開口部３０ａの周縁から第２のシャッター部材３２に向けて折り曲げられた後、開口部３０ａを通過しカードコネクタ収容部側に突出するように折り曲げられている。湾曲部３０Ｐの一端の形状は、図１５に示されるように、カードの着脱のとき、例えば、ＭＭＣカードＭＣCの側面部に設けられる切欠部に引っ掛からないような丸みを有している。
【００２２】
開口部３０ａの周縁における下側には、図１２に示されるように、開口部３０ａに連なる比較的浅い溝３０ｇが湾曲部３０Ｐ側に偏った位置に形成されている。溝３０ｇの幅の寸法Ｗａは、例えば、ｍｉｎｉＳＤカードの幅寸法よりも若干大に設定されている。また、溝３０ｇの一方の端から上述の湾曲部３０Ｐの頂部までの距離Ｗｂは、所定の公差をもって所定の値に設定されている。
溝３０ｇに隣接した部分には、開口部３０ａの他方の端部側にカード挿入規制部としての遮蔽部３０Ｓが形成されている。即ち、遮蔽部３０Ｓは、図１２において第１のシャッター部材３０が矢印ＡＤの示す方向に所定の長さだけ移動したとき、対向する第２のシャッター部材３２の溝３２ｇの開口面積を縮小させるように重なることとなる。即ち、遮蔽部３０Ｓは、第１のシャッター部材３０における矢印ADの示す方向とは反対方向であるその復帰する方向に向かう端部に設けられている。
【００２３】
一方、第２のシャッター部材３２は、図１３に示されるように、スロット４Ｓおよびカードコネクタ１０のスロットに対応した細長い開口部３２ａを中央に有している。開口部３２ａは、第１のシャッター部材３０の開口部３０ａに対向し長手方向に沿って延びている。開口部３２ａにおける短辺側の寸法は、ＳＤカードの厚さよりも若干大に設定されている。開口部３２ａの周縁における一方の端部には、弾性を有する湾曲部３２Ｐが一体に形成されている。湾曲部３２Ｐは、図５および図９に示されるように、凹部４ｆ内に向けて突出している。湾曲部３２Ｐの一端は、図１６に示されるように、開口部３２ａの周縁から凹部４ｆに向けて折り曲げられた後、開口部３２ａおよび３０ａを通過しカードコネクタ収容部側に突出するように折り曲げられている。湾曲部３２Ｐの一端の形状は、図１６に示されるように、ＳＤカードＳＤＣの着脱のとき、例えば、ＳＤカードＳＤＣの側面部に設けられる切欠部内に嵌まり込まないような丸みを有している。
【００２４】
開口部３２ａの周縁における下側には、開口部３２ａに連なる比較的浅い溝３２ｇが湾曲部３２Ｐ側に偏った位置に形成されている。溝３２ｇの幅の寸法Ｗａは、例えば、ｍｉｎｉＳＤカードの幅寸法よりも若干大に設定されている。また、溝３２ｇの一方の端から上述の湾曲部３２Ｐの頂部までの距離Ｗｂは、所定の公差をもって所定の値に設定されている。
【００２５】
溝３２ｇに隣接した部分には、開口部３２ａの他方の端部側にカード挿入規制部としての遮蔽部３２Ｓが形成されている。即ち、遮蔽部３２Ｓは、図１３において、挿入されるＳＤカードまたはＭＭＣカードにより湾曲部３２Ｐが矢印ＡＤの示す方向に押圧されるとき、第２のシャッター部材３２が矢印ＡＤの示す方向に所定の長さだけ移動したとき、対向する第１のシャッター部材３０の溝部３０ｇの開口面積を縮小させるように重なることとなる。従って、遮蔽部３２Ｓは、第２のシャッター部材３２における矢印ADの示す方向とは反対方向であるその復帰する方向に向かう端部に設けられている。ＳＤカードＳＤＣおよびＭＭＣカードＭＣＣが装着されていないとき、図６に示されるように、第１のシャッター部材３０の湾曲部３０Ｐと第２のシャッター部材３２の湾曲部３２Ｐとの相互間距離ＷＳは、ＳＤカードＳＤＣおよびＭＭＣカードＭＣＣにおける幅寸法よりも若干小であって、ｍｉｎｉＳＤカードの最大幅寸法よりも若干大となるように設定されている。
【００２６】
板ばねであるリターンスプリング３４Ｒおよび３４Ｌは、互いに同一の構造とされるのでリターンスプリング３４Ｒについて説明し、リターンスプリング３４Ｌの説明は省略する。
【００２７】
リターンスプリング３４Ｒは、図１４に示されるように、薄板の金属材料で作られ、上述の溝４ｅに圧入されて固定される固定部３４ｆと、図１１において、第１のシャッター部材３０および第２のシャッター部材３２の右側の端部に当接する当接部３４ｅと、弾性を有し固定部３４ｆと当接部３４ｅとを連結する湾曲部３４ｂとを含んでなる。リターンスプリング３４Ｒは、図１６に示されるように、一方向に移動した第２のシャッター部材３２の位置を初期の位置に戻す方向、即ち、図１６において矢印が示す復帰させる方向に付勢するものとされる。一方、リターンスプリング３４Ｌは、図１５に示されるように、一方向に移動した第１のシャッター部材３０の位置を初期の位置に戻す方向、即ち、図１５において矢印が示す復帰させる方向に付勢するものとされる。
【００２８】
斯かる構成のもとで、先ず、ＳＤカードＳＤＣをＰＣカードアダプタ２におけるスロット４Ｓを通じてカードコネクタ１０のカード収容部に装着するにあたっては、ＳＤカードＳＤＣの電極部が設けられる先端部が第１のシャッター部材３０の湾曲部３０Ｐと第２のシャッター部材３２の湾曲部３２Ｐとの間に挟まれて形成される開口内に挿入されることにより、湾曲部３０Ｐおよび３２Ｐが互いに離隔する方向に移動せしめられる。ＳＤカードＳＤＣがさらにカード収容部内に挿入されることによって、図１７に示されるように、カードコネクタ１０におけるイジェクト機構により保持されることとなる。
【００２９】
これにより、第１のシャッター部材３０の湾曲部３０Ｐおよび遮蔽部３０Ｓがリターンスプリング３４Ｒの付勢力に抗して図１２の矢印ＡＤの示す方向に移動せしめられ、一方、第２のシャッター部材３２の湾曲部３２Ｐおよび遮蔽部３２Ｓがリターンスプリング３４Ｌの付勢力に抗して図１３の矢印ＡＤの示す方向に移動せしめられる。
【００３０】
従って、図１８および図１９に示されるように、第１のシャッター部材３０の遮蔽部３０Ｓおよび第２のシャッター部材３２の遮蔽部３２Ｓが互いに近接することにより、フレーム部材４のスロット４Ｓの溝部４ｃとカードコネクタ１０のスロットとが実質的に連通する開口面積が縮小されることとなる。即ち、第１のシャッター部材３０の遮蔽部３０Ｓおよび第２のシャッター部材３２の遮蔽部３２Ｓの相互間距離ＬＢが、溝部４ｃの幅寸法ＬＡよりも小となるのでｍｉｎｉＳＤカードが、加えてカードコネクタ１０のスロット内に挿入されることが回避される。
【００３１】
そして、ＳＤカードＳＤＣを取り外すにあたっては、ＳＤカードＳＤＣを挿入方向に沿って所定量、再度押圧することにより、SDカードSDCがそのイジェクト機構から解放されカードコネクタ１０およびＰＣカードアダプタ２から排出されることとなる。
【００３２】
次に、ＳＤカードＳＤＣ  に代えてＭＭＣカードＭＣＣをＰＣカードアダプタ２におけるスロット４Ｓを通じてカードコネクタ１０のカード収容部に装着するにあたっては、図２０に示されるように、ＭＭＣカードＭＣＣの電極部が設けられる先端部が、上述と同様に第１のシャッター部材３０の湾曲部３０Ｐと第２のシャッター部材３２の湾曲部３２Ｐとの間に挟まれて形成される開口内に挿入されることにより、湾曲部３０Ｐおよび３２Ｐが互いに離隔する方向に移動せしめられる。ＭＭＣカードＭＣＣがカード収容部内にさらに挿入されることによって、図２０に示されるように、カードコネクタ１０におけるイジェクト機構により保持されることとなる。
【００３３】
これにより、第１のシャッター部材３０の湾曲部３０Ｐおよび遮蔽部３０Ｓがリターンスプリング３４Ｒの付勢力に抗して図１２の矢印ＡＤの示す方向に移動せしめられ、一方、第２のシャッター部材３２の湾曲部３２Ｐおよび遮蔽部３２Ｓがリターンスプリング３４Ｌの付勢力に抗して図１３の矢印ＡＤの示す方向に移動せしめられる。その際、ＭＭＣカードＭＣＣの下方に位置するフレーム部材４におけるスロット４Ｓの段差部４ｂの部分に比較的小なる隙間が形成される。
【００３４】
図２０に示されるように、第１のシャッター部材３０の遮蔽部３０Ｓおよび第２のシャッター部材３２の遮蔽部３２Ｓが互いに近接することにより、フレーム部材４のスロット４Ｓの溝部４ｃとカードコネクタ１０のスロットとが実質的に連通する開口面積が縮小されることとなる。即ち、第１のシャッター部材３０の遮蔽部３０Ｓおよび第２のシャッター部材３２の遮蔽部３２Ｓの相互間距離ＬＢが、溝部４ｃの幅寸法ＬＡよりも小となるのでｍｉｎｉＳＤカードが、加えてカードコネクタ１０のスロット内に挿入されることが回避されることとなる。
【００３５】
続いて、上述のようにカードコネクタ１０およびＰＣカードアダプタ２から排出されたＳＤカードＳＤＣ  、および、ＭＭＣカードＭＣＣに代えて、ｍｉｎｉＳＤカードＭＳＤＣをＰＣカードアダプタ２におけるスロット４Ｓを通じてカードコネクタ１０のカード収容部に装着するにあたっては、図１に示されるように、ｍｉｎｉＳＤカードＭＳＤＣの先端がフレーム部材４におけるスロット４Ｓの段差部４ｂ、および、溝部４ｃに挿入される。その際、図６に示される第１のシャッター部材３０の湾曲部３０Ｐと第２のシャッター部材３２の湾曲部３２Ｐとの相互間距離ＷＳは、ｍｉｎｉＳＤカードＭＳＤＣの最大幅寸法よりも若干大となるように設定されているのでｍｉｎｉＳＤカードＭＳＤＣの両側面部は、湾曲部３０Ｐおよび湾曲部３２Ｐに干渉することなく、段差部４ｂ、および、溝部４ｃに挿入される。従って、ｍｉｎｉＳＤカードＭＳＤＣの底部および両側面部が、第１のシャッター部材３０の溝３０ｇおよび第２のシャッター部材３２の溝３２ｇに係合することとなるので第１のシャッター部材３０および第２のシャッター部材３２の移動は、制限されることとなる。
【００３６】
これにより、図２および図３に示されるように、相対的に移動できない状態にある第１のシャッター部材３０の湾曲部３０Ｐと第２のシャッター部材３２の湾曲部３２Ｐとの相互間距離ＷＳは、ＳＤカードＳＤＣおよびＭＭＣカードＭＣＣにおける幅寸法よりも若干小なのでＳＤカードＳＤＣまたはＭＭＣカードＭＣＣが、加えてカードコネクタ１０のスロット内に挿入されることが回避されることとなる。
【００３７】
上述の例においては、付勢部材としてリターンスプリング３４Ｒおよび３４Ｌが板ばねであるが、斯かる例に限られることなく、例えば、図２１に示されるように、板ばねの代わりに、コイルスプリングとされるリターンスプリング３８Ｒおよび３８Ｌが設けられてもよい。なお、図２１および図２２に示される例においては、図１に示される例における構成要素と同一の構成要素とされるものについて同一の符号を付して示し、その重複説明を省略する。
【００３８】
図２１および図２２に示されるように、カードコネクタ１０が収容されるフレーム部材４’におけるカードコネクタ収容部４’Ａの前端部は、スロット４’Ｓに連通している。スロット４’Ｓは、装着されるＳＤカード、ＭＭＣカード（商標）の幅寸法および厚さよりも若干大なる寸法を有する略長方形の開口部４’ａと、開口部４’ａの両端に形成され開口部４ａに連通する段差部４’ｂと、段差部４’ｂの下部に連なり最下端に形成され開口部４’ａに連通する溝部４’ｃとを含んでなる。溝部４’ｃの幅は、段差部４’ｂの相互間距離よりも狭く、例えば、装着されるｍｉｎｉＳＤカードの幅寸法よりも若干大に設定されている。従って、スロット４’Ｓは、装着されるＳＤカード、ＭＭＣカード（商標）、および、ｍｉｎｉＳＤカードにおいて、共通のカード着脱口となる。
【００３９】
カードコネクタ収容部４’Ａの前端部とフレーム部材４’の内周面との間には、所定の隙間が形成されている。また、フレーム部材４’の内周部には、カードコネクタ収容部４’Ａの前端部に対向して凹部４’ｆが所定の間隔をもって形成されている。さらに、カードコネクタ収容部４’Ａの両側部に対応する部分をそれぞれ形成するフレーム部材４’の前部には、リターンスプリング３８Ｒおよび３８Ｌをそれぞれ収容する凹部４’Ｌおよび４’Ｒが形成されている。
【００４０】
凹部４’Ｒに隣接した部分、および、凹部４’Ｌに隣接した部分には、細い溝４’ｄが形成されている。各溝４’ｄは、フレーム部材４’の前端に対し略平行に形成されている。各溝４’ｄには、後述する各シャッター部材が摺動可能に配されている。
【００４１】
フレーム部材４’におけるカードコネクタ収容部４’Ａの前端部とスロット４’Ｓが形成される部分との間には、２枚のＩＣカードが一緒にスロット４’Ｓおよびカードコネクタのカード収容部内に挿入されることを防止するシャッター機構が設けられている。
【００４２】
シャッター機構は、図２１に示されるように、互いに相対移動可能に重ねられる第１のシャッター部材３０’および第２のシャッター部材３２’と、第１のシャッター部材３０’および第２のシャッター部材３２’を付勢する付勢部材としてのリターンスプリング３８Ｒおよび３８Ｌとを含んで構成されている。
【００４３】
第１のシャッター部材３０’および第２のシャッター部材３２’の両端部は、図２１に示されるように、それぞれ、その湾曲部３０’Ｐおよび３２’Ｐが互いに近接または離隔するように溝４’ｄに往復移動可能に支持されている。第１のシャッター部材３０’および第２のシャッター部材３２’のスプリング受部には、それぞれ、後述するリターンスプリング３８Ｒおよび３８Ｌの一端が当接している。リターンスプリング３８Ｒおよび３８Ｌの他端は、それぞれ、凹部４’Ｌおよび４’Ｒの内周縁に当接している。
【００４４】
第１のシャッター部材３０’は、スロット４’Ｓおよびカードコネクタのスロットに対応した中央に細長い開口部を有している。開口部は、長手方向に沿って延びている。開口部における短辺側の寸法は、ＳＤカードの厚さよりも若干大に設定されている。開口部の周縁における一方の端部には、弾性を有する湾曲部３０’Ｐが一体に形成されている。湾曲部３０’Ｐは、第２のシャッター部材３２’の開口部を介して凹部４’ｆ内に向けて突出している。湾曲部３０’Ｐの端面とシャッター部材３２の開口部における一方の端部の周縁との間には、所定の隙間が設けられている。この隙間は、挿入されるＳＤカードまたはＭＭＣカードにより湾曲部３０’Ｐが図２１における矢印ＡＤの示す方向に押圧されるとき、第１のシャッター部材３０’が矢印ＡＤの示す方向に所定の長さだけ移動し得るように設定されている。
【００４５】
第１のシャッター部材３０’の開口部の周縁における下側には、開口部に連なる比較的浅い溝が湾曲部３０’Ｐ側に偏った位置に形成されている。溝の幅の寸法は、例えば、ｍｉｎｉＳＤカードの幅寸法よりも若干大に設定されている。また、溝の一方の端から上述の湾曲部３０’Ｐの頂部までの距離は、所定の公差をもって所定の値に設定されている。
その溝に隣接した部分には、第１のシャッター部材３０’の開口部の他方の端部側に遮蔽部が形成されている。即ち、遮蔽部は、図２１において第１のシャッター部材３０’が矢印ＡＤの示す方向に所定の長さだけ移動したとき、対向する第２のシャッター部材３２’の開口部の開口面積を減少させるように重なることとなる。従って、その遮蔽部は、第１のシャッター部材３０’におけるその復帰する方向に向かう端部に設けられている。
【００４６】
一方、第２のシャッター部材３２’は、スロット４’Ｓおよびカードコネクタのスロットに対応した中央に細長い開口部を有している。開口部は、第１のシャッター部材３０’の開口部に対向し長手方向に沿って延びている。開口部における短辺側の寸法は、ＳＤカードの厚さよりも若干大に設定されている。その開口部の周縁における一方の端部には、弾性を有する湾曲部３２’Ｐが一体に形成されている。湾曲部３２’Ｐは、図２１に示されるように、凹部４’ｆ内に向けて突出している。湾曲部３２’Ｐの一端は、図１６に示されるように、開口部の周縁から凹部４’ｆに向けて折り曲げられた後、その開口部を通過しカードコネクタ収容部側に突出するように折り曲げられている。
第２のシャッター部材３２’の開口部の周縁における下側には、開口部に連なる比較的浅い溝が湾曲部３２’Ｐ側に偏った位置に形成されている。その溝の幅の寸法は、例えば、ｍｉｎｉＳＤカードの幅寸法よりも若干大に設定されている。また、その溝の一方の端から上述の湾曲部３２’Ｐの頂部までの距離は、所定の公差をもって所定の値に設定されている。
【００４７】
その溝に隣接した部分には、第２のシャッター部材３２’の開口部の他方の端部側に遮蔽部が形成されている。即ち、遮蔽部は、図２１において、挿入されるＳＤカードまたはＭＭＣカードにより湾曲部３２’Ｐが矢印ＡＤの示す方向とは反対方向に押圧されるとき、第２のシャッター部材３２’がその方向に所定の長さだけ移動したとき、対向する第１のシャッター部材３０’の開口部の開口面積を減少させるように重なることとなる。従って、遮蔽部は、第２のシャッター部材３２’におけるその復帰する方向に向かう端部に設けられている。ＳＤカードＳＤＣおよびＭＭＣカードＭＣＣが装着されていないとき、第１のシャッター部材３０’の湾曲部３０’Ｐと第２のシャッター部材３２’の湾曲部３２’Ｐとの相互間距離ＷＳは、ＳＤカードＳＤＣおよびＭＭＣカードＭＣＣにおける幅寸法よりも若干小であって、ｍｉｎｉＳＤカードの最大幅寸法よりも若干大となるように設定されている。
【００４８】
リターンスプリング３８Ｒおよび３８Ｌは、それぞれ、所定距離、移動せしめられた第２のシャッター部材３２’および第１のシャッター部材３０’を初期の位置に戻すように付勢するものとされる。
【００４９】
斯かる構成においても、ＳＤカード、またはＭＭＣカード（商標）がカードコネクタ１０のスロット内に装着されるとき、ｍｉｎｉＳＤカードが、加えてカードコネクタ１０のスロット内に挿入されることが回避されることとなる。また、ｍｉｎｉＳＤカードが、カードコネクタ１０のスロット内に装着されるとき、ＳＤカード、またはＭＭＣカード（商標）が加えてカードコネクタ１０のスロット内に挿入されることが回避されることとなる。
【００５０】
図２３および図２４は、本発明に係るカード誤挿入防止機構およびそれを備えるカード用コネクタの他の実施例が適用されたＰＣカードアダプタ２の内部を示す。
【００５１】
図１に示される例におけるシャッター機構は、リターンスプリング３４Ｒおよび３４Ｌにより付勢される第２のシャッター部材３２および第１のシャッター部材３０が相対的に移動可能に支持されるものとされるが、その代わりに、図２３および図２４に示される例では、リターンスプリング４８により付勢される第１のシャッター部材４０が移動可能に支持されるものとされる。なお、図２３および図２４に示される例において、図１に示される例における構成要素と同一の構成要素について同一の符号を付して示し、その重複説明を省略する。
【００５２】
フレーム部材４４の前端部には、上述の各カードの着脱のとき、そのカードが通過するスロット４４Ｓが形成されている。スロット４４Ｓは、カード用コネクタ１０のカード収容部に連通している。スロット４４Ｓは、装着されるＳＤカード、ＭＭＣカード（商標）の幅寸法および厚さよりも若干大なる寸法を有する略長方形の開口部４４ａと、開口部４４ａの両端の下部に形成され開口部４４ａに連通する段差部４４ｂと、段差部４４ｂに連なり最下端に形成され開口部４４ａに連通する溝部４４ｃとを含んでなる。溝部４４ｃの幅は、段差部４４ｂの相互間距離よりも狭く、例えば、装着されるｍｉｎｉＳＤカードの幅寸法よりも若干大に設定されている。従って、スロット４４Ｓは、装着されるＳＤカード、ＭＭＣカード（商標）、および、ｍｉｎｉＳＤカードにおいて、共通のカード着脱口となる。
【００５３】
カードコネクタ収容部４４Ａの前端部とフレーム部材４４の内周面との間には、所定の隙間が形成されている。また、フレーム部材４４の内周部における後述するリターンスプリング４８側には、カードコネクタ収容部４４Ａの前端部に対向して凹部４４ｆが形成されている。さらに、カードコネクタ収容部４４Ａの両側部に対応する部分をそれぞれ形成するフレーム部材４４には、凹部４４Ｌが形成されている。凹部４４Ｌには、リターンスプリング４８が配されている。また、凹部４４Ｌに隣接した部位には、そのリターンスプリング４８の一端が圧入される溝４４ｅが形成されている。
【００５４】
凹部４４Ｌと凹部４４ｆとの間の部分、および、フレーム部材４４における凹部４４Ｌに対しカードコネクタ収容部４４Ａを挟んで対向する部分には、細い溝４４ｄがそれぞれ、一直線上に形成されている。各溝４４ｄは、フレーム部材４４の前端に対し略平行に形成されている。各溝４４ｄには、後述するシャッター部材の端部が摺動可能に配されている。
【００５５】
フレーム部材４４におけるカードコネクタ収容部４４Ａの前端部とスロット４４Ｓが形成される部分との間には、２枚のＩＣカードが一緒にスロット４４Ｓおよびカードコネクタのカード収容部内に挿入されることを防止するシャッター機構が設けられている。
【００５６】
シャッター機構は、図２４に示されるように、薄板の金属材料で作られ互いに移動可能に重ねられる第１のシャッター部材４０および第２のシャッター部材４２と、第１のシャッター部材４０および第２のシャッター部材４２を付勢する付勢部材としてのリターンスプリング４８とを含んで構成されている。
【００５７】
第１のシャッター部材４０の両端部は、それぞれ、その湾曲部４０Ｐが、第２のシャッター部材４２の開口部の周縁の一端側に近接または離隔するように溝４４ｄに往復移動可能に支持されている。第１のシャッター部材４０および第２のシャッター部材４２の一端部には、それぞれ、リターンスプリング４８の一端が当接している。
【００５８】
第１のシャッター部材４０は、スロット４４Ｓおよびカードコネクタ１０のスロットに対応した中央に細長い開口部を有している。開口部は、長手方向に沿って延びている。開口部における短辺側の寸法は、ＳＤカードの厚さよりも若干大に設定されている。開口部の周縁における一方の端部には、弾性を有する湾曲部４０Ｐが一体に形成されている。湾曲部４０Ｐは、第２のシャッター部材４２の開口部を介して凹部４４ｆ内に向けて突出している。湾曲部４０Ｐの端面とシャッター部材４２の開口部における一方の端部の周縁とは、所定の隙間ＣＬが設けられている。この隙間ＣＬは、挿入されるＳＤカードまたはＭＭＣカードにより湾曲部４０Ｐが図２４における矢印ＡＤの示す方向に押圧されるとき、第１のシャッター部材４０が矢印ＡＤの示す方向に所定の長さだけ移動し得るように設定されている。
【００５９】
湾曲部４０Ｐの一端は、第１のシャッター部材４０の開口部の周縁から第２のシャッター部材４２に向けて折り曲げられた後、その開口部を通過しカードコネクタ収容部側に突出するように折り曲げられている。湾曲部４０Ｐの一端の形状は、カードの着脱のとき、例えば、ＭＭＣカードＭＣの側面部に設けられる切欠部に引っ掛からないような丸みを有している。
【００６０】
第１のシャッター部材４０の開口部の周縁における下側には、その開口部に連なる比較的浅い溝が湾曲部４０Ｐ側に偏った位置に形成されている。その溝の幅の寸法は、例えば、ｍｉｎｉＳＤカードの幅寸法よりも若干大に設定されている。また、その溝の一方の端から上述の湾曲部４０Ｐの頂部までの距離は、所定の公差をもって所定の値に設定されている。
【００６１】
第１のシャッター部材４０の溝部に隣接した部分には、その開口部の他方の端部側にカード挿入規制部としての遮蔽部４０Ｓが形成されている。即ち、遮蔽部４０Ｓ（図２６参照）は、図２４において第１のシャッター部材４０が矢印ＡＤの示す方向に所定の長さだけ移動したとき、対向する第２のシャッター部材４２の溝部の開口面積を縮小させるように重なることとなる。即ち、遮蔽部４０Ｓは、第１のシャッター部材４０におけるその復帰する方向に向かう端部に設けられている。
【００６２】
一方、第２のシャッター部材４２は、スロット４４Ｓおよびカードコネクタ１０のスロットに対応した中央に細長い開口部を有している。その開口部は、第１のシャッター部材４０の開口部に対向し長手方向に沿って延びている。第２のシャッター部材４２の開口部における短辺側の寸法は、ＳＤカードの厚さよりも若干大に設定されている。
【００６３】
第２のシャッター部材４２の開口部の周縁における下側には、その開口部に連なる比較的浅い溝部が第１のシャッター部材４０の溝に対応して形成されている。その溝の幅の寸法は、例えば、ｍｉｎｉＳＤカードの幅寸法よりも若干大に設定されている。
【００６４】
板ばねであるリターンスプリング４８は、薄板の金属材料で作られ、上述の溝４４ｅに圧入されて固定される固定部４８ｆと、第１のシャッター部材４０および第２のシャッター部材４２の左側の端部に当接する当接部４８ｅと、弾性を有し固定部４８ｆと当接部４８ｅとを連結する湾曲部４８ｂとを含んでなる。リターンスプリング４８は、一方向に移動した第１のシャッター部材４０の位置を初期の位置に戻す方向、即ち、図２４において矢印ＡＤの示す方向とは反対方向に向けて復帰させる方向に付勢するものとされる。
【００６５】
斯かる構成のもとで、先ず、ＳＤカードＳＤＣをＰＣカードアダプタ２におけるスロット４４Ｓを通じてカードコネクタ１０のカード収容部に装着するにあたっては、ＳＤカードＳＤＣの電極部が設けられる先端部が第１のシャッター部材４０の湾曲部４０Ｐと第２のシャッター部材４２の開口部の周縁の一方の端部との間に挿入され、湾曲部４０Ｐが図２４の矢印ＡＤの方向に移動せしめられる。ＳＤカードＳＤＣがさらにカード収容部内に挿入されることによって、カードコネクタ１０におけるイジェクト機構により保持されることとなる。なお、第１のシャッター部材４０の湾曲部４０Ｐと第２のシャッター部材４２の開口部の周縁の一方の端部との間の距離は、例えば、ＳＤカードＳＤＣおよびＭＭＣカードＭＣＣの幅よりも若干小であって、ｍｉｎｉＳＤカードの最大幅よりも若干大に設定されている。
【００６６】
これにより、第１のシャッター部材４０の湾曲部４０Ｐおよび遮蔽部４０Ｓがリターンスプリング４８の付勢力に抗して図２４の矢印ＡＤの示す方向に移動せしめられる。
【００６７】
従って、図２６に示されるように、第１のシャッター部材４０の遮蔽部４０Ｓが移動せしめられることにより、フレーム部材４４のスロット４４Ｓの溝部４４ｃとカードコネクタ１０のスロットとが実質的に連通する開口面積が縮小されることとなる。即ち、第１のシャッター部材４０の遮蔽部４０Ｓおよび第２のシャッター部材３２の溝部の周縁の端部との相互間距離が、溝部４４ｃの幅寸法よりも小となるのでｍｉｎｉＳＤカードが、加えてカードコネクタ１０のスロット内に挿入されることが回避される。
【００６８】
そして、ＳＤカードＳＤＣを取り外すにあたっては、ＳＤカードＳＤＣを挿入方向に沿って所定量、再度押圧することにより、ＳＤカードＳＤＣがそのイジェクト機構から解放されカードコネクタ１０およびＰＣカードアダプタ２から排出されることとなる。
【００６９】
次に、ＳＤカードＳＤＣ  に代えてＭＭＣカードＭＣＣをＰＣカードアダプタ２におけるスロット４４Ｓを通じてカードコネクタ１０のカード収容部に装着するにあたっても、上述と同様に、第１のシャッター部材４０の遮蔽部４０Ｓおよび第２のシャッター部材４２の溝部の周縁の端部との相互間距離が、溝部４４ｃの幅寸法よりも小となるのでｍｉｎｉＳＤカードが、加えてカードコネクタ１０のスロット内に挿入されることが回避されることとなる。
【００７０】
続いて、上述のようにカードコネクタ１０およびＰＣカードアダプタ２から排出されたＳＤカードＳＤＣ、および、ＭＭＣカードＭＣＣに代えて、ｍｉｎｉＳＤカードＭＳＤＣをＰＣカードアダプタ２におけるスロット４４Ｓを通じてカードコネクタ１０のカード収容部に装着するにあたっては、ｍｉｎｉＳＤカードＭＳＤＣの先端がフレーム部材４４におけるスロット４４Ｓの段差部４４ｂの相互間、および、溝部４４ｃに挿入される。その際、第１のシャッター部材４０の湾曲部４０Ｐと第２のシャッター部材４２の溝部の周縁との相互間距離は、ｍｉｎｉＳＤカードＭＳＤＣの最大幅寸法よりも若干大となるように設定されているのでｍｉｎｉＳＤカードＭＳＤＣの両側面部は、湾曲部４０Ｐに干渉することなく、段差部４４ｂ相互間、および、溝部４４ｃに挿入される。従って、ｍｉｎｉＳＤカードＭＳＤＣの底部および両側面部が、第１のシャッター部材４０の溝および第２のシャッター部材４２の溝に係合することとなるので第１のシャッター部材４０の移動は、制限されることとなる。
【００７１】
これにより、図２７に示されるように、相対的に移動できない状態にある第１のシャッター部材４０の湾曲部４０Ｐと第２のシャッター部材４２の開口部の周縁との相互間距離は、ＳＤカードＳＤＣおよびＭＭＣカードＭＣＣにおける幅寸法よりも若干小なのでＳＤカードＳＤＣまたはＭＭＣカードＭＣＣが、加えてカードコネクタ１０のスロット内に挿入されることが回避されることとなる。
【００７２】
上述の例においては、本発明に係るカード誤挿入防止機構およびそれを備えるカード用コネクタの実施例がＰＣカードアダプタに適用されているが、斯かる例に限られることなく、例えば、他の携帯電話機、プリンタ、ビデオレコーダ、ＤＶＤレコーダ等の電子機器の筐体におけるＩＣカード用スロットが設けられる部位に直接的に適用されてもよいことは勿論である。また、上述の例においては、カード誤挿入防止機構が、ＰＣカードアダプタのフレーム部材に支持されているが、必ずしもこのようになされる必要はなく、例えば、カード誤挿入防止機構が、カードコネクタの筐体に支持されてもよい。さらに、付勢部材としてのリターンスプリングは、上述の例のような板ばね、コイルスプリングに限られることなく、例えば、弾性材料であるゴム材料、あるいは、その他の弾性材料で形成されてもよいことは勿論である。その際、その付勢部材が、第１のシャッター部材または第２のシャッター部材と一体に形成されるものでもよい。斯かる場合においては、カード誤挿入防止機構における部品点数の削減により製造コストの低減が図られることとなる。
【図面の簡単な説明】
【００７３】
【図１】本発明に係るカード誤挿入防止機構およびそれを備えるカード用コネクタの一例の構成を、装着されたＩＣカードとともに示す斜視図である。
【図２】図１に示される例における正面図である。
【図３】図１に示される例が適用されたＰＣカードアダプタの外観を、装着されたＩＣカードとともに示す正面図である。
【図４】図１に示される例を、それが適用されたＰＣカードアダプタ内に収容された状態で示す斜視図である。
【図５】図４に示される例における平面図である。
【図６】図４に示される例における正面図である。
【図７】本発明に係るカード誤挿入防止機構およびそれを備えるカード用コネクタの一例が適用されたＰＣカードアダプタの外観を示す斜視図である。
【図８】図７に示される例における正面図である。
【図９】本発明に係るカード誤挿入防止機構におけるシャッター機構の構成を示す斜視図である。
【図１０】図９に示される例における正面図である。
【図１１】図９に示される例における平面図である。
【図１２】図９に示される例における第１のシャッター部材を示す斜視図である。
【図１３】図９に示される例における第２のシャッター部材を示す斜視図である。
【図１４】図９に示される例におけるリターンスプリングを示す斜視図である。
【図１５】図９に示される本発明に係るカード誤挿入防止機構におけるシャッター機構の動作説明に供される図である。
【図１６】図９に示される本発明に係るカード誤挿入防止機構におけるシャッター機構の動作説明に供される図である。
【図１７】本発明に係るカード誤挿入防止機構およびそれを備えるカード用コネクタの一例の構成を、装着された他のＩＣカードとともに示す斜視図である。
【図１８】図１７に示される例における正面図である。
【図１９】図１７に示される例が適用されたＰＣカードアダプタの外観を示す正面図である。
【図２０】図４に示される例において、さらなる他のＩＣカードが装着された状態を示す正面図である。
【図２１】本発明に係るカード誤挿入防止機構およびそれを備えるカード用コネクタの他の一例の構成を示す平面図である。
【図２２】図２１に示される例における正面図である。
【図２３】本発明に係るカード誤挿入防止機構およびそれを備えるカード用コネクタのさらなる他の一例の構成を示す斜視図である。
【図２４】図２３に示される例における平面図である。
【図２５】図２３に示される例における正面図である。
【図２６】図２３に示される例においてＩＣカードが装着された状態を示す正面図である。
【図２７】図２３に示される例において他のＩＣカードが装着された状態を示す正面図である。
【符号の説明】
【００７４】
２    ＰＣカードアダプタ
４、４’、４４    フレーム部材
４Ｓ    スロット
１０    カードコネクタ
３０、３０’、４０    第１のシャッター部材
３２、３２’、４２    第２のシャッター部材
３４Ｒ、３４Ｌ、３８Ｒ、３８Ｌ、４８    リターンスプリング
ＳＤＣ    ＳＤカード
【図１】
2005129311.tif 000003
【図２】
2005129311.tif 000004
【図３】
2005129311.tif 000005
【図４】
2005129311.tif 000006
【図５】
2005129311.tif 000007
【図６】
2005129311.tif 000008
【図７】
2005129311.tif 000009
【図８】
2005129311.tif 000010
【図９】
2005129311.tif 000011
【図１０】
2005129311.tif 000012
【図１１】
2005129311.tif 000013
【図１２】
2005129311.tif 000014
【図１３】
2005129311.tif 000015
【図１４】
2005129311.tif 000016
【図１５】
2005129311.tif 000017
【図１６】
2005129311.tif 000018
【図１７】
2005129311.tif 000019
【図１８】
2005129311.tif 000020
【図１９】
2005129311.tif 000021
【図２０】
2005129311.tif 000022
【図２１】
2005129311.tif 000023
【図２２】
2005129311.tif 000024
【図２３】
2005129311.tif 000025
【図２４】
2005129311.tif 000026
【図２５】
2005129311.tif 000027
【図２６】
2005129311.tif 000028
【図２７】
2005129311.tif 000029